(57)【要約】      （修正有）【課題】液体を送出する過程において、空気が柔軟性容器内に入らないので、柔軟性容器内の液体が汚染されることを防止し、柔軟性容器内の液体の賞味期限と品質を向上させることができる、携帯型ビールバーレルを提供する。【解決手段】貯蔵装置１は、バルブシート、気体バルブ、液体バルブ、柔軟性容器およびケースを含む。バルブシートは、外部から内部への方向において間隔を空けて形成されている結合用凹部、気体バルブ装着凹部および液体バルブ装着凹部を含む。柔軟性容器は液体バルブに密閉状態に連結され、かつ柔軟性容器と液体バルブは連通状態に連結される。液体流出装置２は気体圧縮部品と液体流出部品２２を含む。気体圧縮部品２１は気体を圧縮することに用いられ、気体圧縮部品を開けるとき、気体圧縮部品と気体バルブは連通状態になる。【選択図】図１
0003234610.tif 000002
【実用新案登録請求の範囲】
【請求項１】
貯蔵装置（１）と液体流出装置（２）を含み、
前記貯蔵装置（１）は、バルブシート（１１）、気体バルブ（１２）、液体バルブ（１３）、柔軟性容器（１４）およびケース（１５）を含み、
前記バルブシート（１１）は、外部から内部への方向において間隔を空けて形成されている結合用凹部（１１１）、気体バルブ装着凹部（１１２）および液体バルブ装着凹部（１１３）を含み、
前記気体バルブ（１２）は前記気体バルブ装着凹部（１１２）内に取り付けられ、
前記液体バルブ（１３）は前記液体バルブ装着凹部（１１３）内に取り付けられ、
前記柔軟性容器（１４）は前記液体バルブ（１３）に密閉状態に連結され、かつ前記柔軟性容器（１４）と前記液体バルブ（１３）は連通状態に連結され、
前記ケース（１５）内は前記柔軟性容器（１４）が取り付けられ、前記ケース（１５）には結合部（１５１）が形成され、前記結合部（１５１）は前記結合用凹部（１１１）に挿入されるとともに前記結合部（１５１）はバルブシート（１１）に固定連結され、
前記液体流出装置（２）は気体圧縮部品（２１）と液体流出部品（２２）を含み、
前記気体圧縮部品（２１）は気体を圧縮することに用いられ、前記気体圧縮部品（２１）を開けるとき、前記気体圧縮部品（２１）と前記気体バルブ（１２）は連通状態になり、
前記液体流出部品（２２）は中空の構造を有しているものであり、前記液体流出部品（２２）の一端は前記液体バルブ（１３）に当接し、前記液体流出部品（２２）は前記液体バルブ（１３）が開けられるように押すことを特徴とする携帯型ビールバーレル。
【請求項２】
前記気体バルブ装着凹部（１１２）の底面には気体流入孔（１１２１）が形成されており、前記気体バルブ（１２）は、気体流入弁体（１２１）、気体流入スプール（１２２）、第一弾性部品（１２３）および第一密閉部品（１２４）を含み、前記気体流入弁体（１２１）には気体流入弁体（１２１）の内部から外部に向くスプール凹部（１２１１）が形成されており、前記気体流入弁体（１２１）の端面には前記スプール凹部（１２１１）と連通状態にされるスプール孔（１２１２）が形成されており、前記気体流入スプール（１２２）はスプール本体（１２２１）と第一当接部（１２２２）を含み、前記スプール本体（１２２１）は前記第一当接部（１２２２）に挿入されるとともに固定され、前記スプール本体（１２２１）の両端は前記第一当接部（１２２２）の両端から突出し、前記スプール本体（１２２１）の一端には前記第一弾性部品（１２３）が取り付けられ、前記スプール本体（１２２１）の他端には第一密閉部品（１２４）が取り付けられ、前記スプール本体（１２２１）と第一当接部（１２２２）はいずれも前記スプール凹部（１２１１）内に取り付けられ、その場合、前記第一弾性部品（１２３）の両端は前記スプール凹部（１２１１）と第一当接部（１２２２）に当接し、前記スプール本体（１２２１）の他端と前記第一密閉部品（１２４）は前記スプール孔（１２１２）から突出し、前記気体流入弁体（１２１）は前記気体バルブ装着凹部（１１２）内に取り付けられ、前記スプール本体（１２２１）の他端は前記気体流入孔（１１２１）から突出し、前記第一弾性部品（１２３）の弾力により前記第一密閉部品（１２４）は前記気体流入孔（１１２１）を密閉させることを特徴とする請求項１に記載の携帯型ビールバーレル。
【請求項３】
前記液体バルブ装着凹部（１１３）の底面には液体流出孔（１１３１）が形成されており、前記液体バルブ（１３）は、液体流出弁体（１３１）、液体流出スプール（１３２）、第二弾性部品（１３３）および第二密閉部品（１３４）を含み、前記液体流出弁体（１３１）は弁体本体（１３１１）と隙間保持部（１３１２）を含み、前記弁体本体（１３１１）には弁体貫通孔（１３１１１）が形成され、前記隙間保持部（１３１２）は前記弁体貫通孔（１３１１１）の内壁に環状に形成され、前記液体流出スプール（１３２）は前記隙間保持部（１３１２）に取り付けられ、前記第二弾性部品（１３３）は前記弁体本体（１３１１）に取り付けられ、前記第二弾性部品（１３３）の両端は前記液体流出スプール（１３２）と前記弁体本体（１３１１）にそれぞれ当接し、前記液体流出弁体（１３１）は前記液体バルブ装着凹部（１１３）に取り付けられ、前記液体流出スプール（１３２）の位置は前記液体流出孔（１１３１）の位置に対応し、前記第二密閉部品（１３４）は前記液体バルブ装着凹部（１１３）の底面と前記液体流出弁体（１３１）との間に取り付けられ、前記第二弾性部品（１３３）の弾力により前記第二密閉部品（１３４）は前記弁体貫通孔（１３１１１）を密閉させることを特徴とする請求項１に記載の携帯型ビールバーレル。
【請求項４】
前記液体流出装置（２）は、加圧部品（２３）、カバー（２４）および連通部品（２５）を更に含み、
前記加圧部品（２３）の頂部には連通用凹部（２３１）が形成され、前記加圧部品（２３）は前記気体バルブ（１２）を押すことにより当該気体バルブ（１２）が開けられかつ前記連通用凹部（２３１）と前記気体バルブ（１２）が連通状態にされるようにし、
前記連通部品（２５）は中空の構造を有している部品であり、前記連通部品（２５）の一端には気体流入凹部（２５１）が形成され、前記連通部品（２５）の一端は前記連通用凹部（２３１）に当接し、前記連通部品（２５）の他端は前記気体圧縮部品（２１）と連通状態にされ、
前記カバー（２４）は前記加圧部品（２３）に取り付けられ、前記連通部品（２５）の他端は前記カバー（２４）から突出し、前記液体流出部品（２２）の一端は前記カバー（２４）と加圧部品（２３）を貫通した後前記液体バルブ（１３）に当接することを特徴とする請求項１に記載の携帯型ビールバーレル。
【請求項５】
前記液体流出装置（２）はスイッチケース（２６）とスイッチ部品（２７）を更に含み、
前記スイッチケース（２６）の両端には第一装着位置（２６１）と第二装着位置（２６２）がそれぞれ形成され、前記カバー（２４）は前記第一装着位置（２６１）内に位置し、前記液体流出部品（２２）の一端は、前記第二装着位置（２６２）、前記第一装着位置（２６１）、前記カバー（２４）および前記加圧部品（２３）を通過した後前記液体流出スプール（１３２）に当接し、前記液体流出部品（２２）の他端は前記第一装着位置（２６１）から突出し、
前記スイッチ部品（２７）は、スイッチ本体（２７１）、第一コネクティング・ロッド（２７２）および第二コネクティング・ロッド（２７３）を含み、前記スイッチ本体（２７１）の一端には前記第一コネクティング・ロッド（２７２）が固定連結され、前記第二コネクティング・ロッド（２７３）と前記第一コネクティング・ロッド（２７２）は回転可能に連結され、前記スイッチ本体（２７１）は前記第二装着位置（２６２）に回転可能に連結され、前記第一コネクティング・ロッド（２７２）と前記第二コネクティング・ロッド（２７３）は前記第二装着位置（２６２）内に取り付けられ、前記第二コネクティング・ロッド（２７３）は前記液体流出部品（２２）を押すことにより液体バルブ（１３）が開けられるようにすることを特徴とする請求項４に記載の携帯型ビールバーレル。
【請求項６】
前記気体圧縮部品（２１）は気体圧縮ケース（２１１）と移動部品（２１２）を含み、
前記気体圧縮ケース（２１１）の一端は前記第二装着位置（２６２）に結合され、前記気体圧縮ケース（２１１）の一端には気体圧縮流出孔（２１１２）と気体圧縮流入孔（２１１１）が形成され、前記気体圧縮流出孔（２１１２）と前記連通部品（２５）の他端は連通状態にされ、前記気体圧縮流入孔（２１１１）と前記気体圧縮ケース（２１１）の外部は連通状態にされ、
前記移動部品（２１２）は押し進め棒（２１２１）と密閉部品（２１２２）を含み、前記押し進め棒（２１２１）の一端は前記気体圧縮ケース（２１１）の他端に挿入され、前記押し進め棒（２１２１）は前記気体圧縮ケース（２１１）内に移動可能に連結されるとともに前記密閉部品（２１２２）に固定連結され、前記密閉部品（２１２２）は前記気体圧縮ケース（２１１）の内壁に当接することを特徴とする請求項５に記載の携帯型ビールバーレル。
【請求項７】
前記ケース（１５）の頂部と底部には把持装置（３）と支持装置（４）がそれぞれ取り付けられ、前記結合部（１５１）は前記把持装置（３）から突出することを特徴とする請求項１〜６のうちいずれか一項に記載の携帯型ビールバーレル。
【請求項８】
前記液体流出装置（２）は流量および泡調節部品（２８）を更に含み、前記流量および泡調節部品（２８）は、調節輪カバー（２８１）、円錐形部（２８２）および泡止め部（２８３）を含み、前記液体流出部品（２２）の一部分は円錐形の中空構造に形成され、前記調節輪カバー（２８１）は前記液体流出部品（２２）上に取り付けられ、前記円錐形部（２８２）の形状は前記液体流出部品（２２）の円錐形の中空構造に対応するとともに前記調節輪カバー（２８１）にネジ結合され、前記泡止め部（２８３）は前記液体流出部品（２２）内に位置し、前記泡止め部（２８３）の一端は前記円錐形部（２８２）に連結され、他端は前記液体流出部品（２２）の液体出口側に延伸し、流動する液体は前記円錐形部（２８２）と前記液体流出部品（２２）との間の隙間、前記泡止め部（２８３）と前記液体流出部品（２２）との間の隙間を通過することを特徴とする請求項１〜６のうちいずれか一項に記載の携帯型ビールバーレル。
【請求項９】
前記結合部（１５１）と前記結合用凹部（１１１）の底面との間には第三密閉部品（１６）が取り付けられ、前記第三密閉部品（１６）は前記結合部（１５１）と前記結合用凹部（１１１）との間の隙間を密閉させることを特徴とする請求項１〜６のうちいずれか一項に記載の携帯型ビールバーレル。
【考案の詳細な説明】
【技術分野】
【０００１】
この考案は、ビールバーレルの技術分野に属し、具体的に、携帯型ビールバーレルに関するものである。
【背景技術】
【０００２】
科学技術の発展に伴い、人々の生活の品質は向上している。また、我々の生活においていろいろな装置を使用することにより、我々の生活の利便性は増加し、我々の生活の品質は向上している。飲料を飲む利便性を向上させるため、携帯型ビールバーレルを家庭、事務室および娯楽場所等に用意することができる。
【０００３】
携帯型ビールバーレルは液体流出装置と液体収納部を含み、液体収納部は、飲料、例えばお酒、炭酸飲料、果汁またはウォーター等を貯蔵することに用いられる。使用者が液体収納部内の飲料を飲もうとするとき、液体流出装置を開けた後、液体収納部内の飲料をコップに注ぐことができる。
【０００４】
従来の技術において、液体収納部の下部には液体流出バルブが取り付けられ、液体収納部の上部には気体流入バルブが取り付けられている。液体収納部内の飲料を注ぐとき、液体流出バルブと気体流入バルブを開けると、外部の空気が気体流入バルブによって液体収納部内に流入するので、液体収納部内の真空状態が除去され、液体収納部内の液体は液体流出バルブから流出することができる。しかしながら、外部の空気には細菌が含まれているので、細菌は外部の空気と一緒に液体収納部内に入るおそれがある。それにより液体収納部内の飲料が汚れ、液体収納部内の飲料の変質が生じるおそれがある。
【考案の概要】
【０００５】
従来の技術の欠点を解決するため、この考案の実施例において携帯型ビールバーレルを提供する。その携帯型ビールバーレルは貯蔵装置と液体流出装置を含み、貯蔵装置は、バルブシート、気体バルブ、液体バルブ、柔軟性容器およびケースを含む。バルブシートは、外部から内部への方向において間隔を空けて形成されている結合用凹部、気体バルブ装着凹部および液体バルブ装着凹部を含む。気体バルブは気体バルブ装着凹部内に取り付けられる。液体バルブは液体バルブ装着凹部内に取り付けられる。柔軟性容器は液体バルブに密閉状態に連結され、かつ柔軟性容器と液体バルブは連通状態に連結される。ケース内は柔軟性容器が取り付けられ、ケースには結合部が形成され、結合部は結合用凹部に挿入されるとともに結合部はバルブシートに固定連結される。液体流出装置は気体圧縮部品と液体流出部品を含む。気体圧縮部品は気体を圧縮することに用いられ、気体圧縮部品を開けるとき、気体圧縮部品と気体バルブは連通状態になる。液体流出部品は中空の構造を有しているものであり、液体流出部品の一端は液体バルブに当接し、液体流出部品は液体バルブが開けられるように押す。
【０００６】
好ましくは、気体バルブ装着凹部の底面には気体流入孔が形成されている。気体バルブは、気体流入弁体、気体流入スプール、第一弾性部品および第一密閉部品を含む。気体流入弁体には気体流入弁体の内部から外部に向くスプール凹部が形成されており、気体流入弁体の端面にはスプール凹部と連通状態にされるスプール孔が形成されている。気体流入スプールはスプール本体と第一当接部を含み、スプール本体は第一当接部に挿入されるとともに固定され、スプール本体の両端は第一当接部の両端から突出し、スプール本体の一端には第一弾性部品が取り付けられ、スプール本体の他端には第一密閉部品が取り付けられる。スプール本体と第一当接部はいずれもスプール凹部内に取り付けられ、その場合、第一弾性部品の両端はスプール凹部と第一当接部に当接し、スプール本体の他端と第一密閉部品はスプール孔から突出する。気体流入弁体は気体バルブ装着凹部内に取り付けられ、スプール本体の他端は気体流入孔から突出し、第一弾性部品の弾力により第一密閉部品は気体流入孔を密閉させる。
【０００７】
好ましくは、液体バルブ装着凹部の底面には液体流出孔が形成されている。液体バルブは、液体流出弁体、液体流出スプール、第二弾性部品および第二密閉部品を含む。液体流出弁体は弁体本体と隙間保持部を含み、弁体本体には弁体貫通孔が形成され、隙間保持部は弁体貫通孔の内壁に環状に形成され、液体流出スプールは隙間保持部に取り付けられ、第二弾性部品は弁体本体に取り付けられ、第二弾性部品の両端は液体流出スプールと弁体本体にそれぞれ当接する。液体流出弁体は液体バルブ装着凹部に取り付けられ、液体流出スプールの位置は液体流出孔の位置に対応し、第二密閉部品は液体バルブ装着凹部の底面と液体流出弁体との間に取り付けられ、第二弾性部品の弾力により第二密閉部品は弁体貫通孔を密閉させる。
【０００８】
好ましくは、液体流出装置は、加圧部品、カバーおよび連通部品を更に含む。加圧部品の頂部には連通用凹部が形成され、加圧部品は気体バルブを押すことにより当該気体バルブが開けられかつ連通用凹部と気体バルブが連通状態にされるようにする。連通部品は中空の構造を有している部品であり、連通部品の一端には気体流入凹部が形成され、連通部品の一端は連通用凹部に当接し、連通部品の他端は気体圧縮部品と連通状態にされる。カバーは加圧部品に取り付けられ、連通部品の他端はカバーから突出し、液体流出部品の一端はカバーと加圧部品を貫通した後液体バルブに当接する。
【０００９】
好ましくは、液体流出装置はスイッチケースとスイッチ部品を更に含む。スイッチケースの両端には第一装着位置と第二装着位置がそれぞれ形成され、カバーは第一装着位置内に位置し、液体流出部品の一端は、第二装着位置、第一装着位置、カバーおよび加圧部品を通過した後液体流出スプールに当接し、液体流出部品の他端は第一装着位置から突出する。スイッチ部品は、スイッチ本体、第一コネクティング・ロッドおよび第二コネクティング・ロッドを含み、スイッチ本体の一端には第一コネクティング・ロッドが固定連結され、第二コネクティング・ロッドと第一コネクティング・ロッドは回転可能に連結され、スイッチ本体は第二装着位置に回転可能に連結され、第一コネクティング・ロッドと第二コネクティング・ロッドは第二装着位置内に取り付けられ、第二コネクティング・ロッドは液体流出部品を押すことにより液体バルブが開けられるようにする。
【００１０】
好ましくは、気体圧縮部品は気体圧縮ケースと移動部品を含む。気体圧縮ケースの一端は第二装着位置に結合され、気体圧縮ケースの一端には気体圧縮流出孔と気体圧縮流入孔が形成され、気体圧縮流出孔と連通部品の他端は連通状態にされ、気体圧縮流入孔と気体圧縮ケースの外部は連通状態にされる。移動部品は押し進め棒と密閉部品を含み、押し進め棒の一端は気体圧縮ケースの他端に挿入され、押し進め棒は気体圧縮ケース内に移動可能に連結されるとともに密閉部品に固定連結され、密閉部品は気体圧縮ケースの内壁に当接する。
【００１１】
好ましくは、ケースの頂部と底部には把持装置と支持装置がそれぞれ取り付けられ、結合部は把持装置から突出する。
【００１２】
好ましくは、液体流出装置は流量および泡調節部品を更に含む。流量および泡調節部品は、調節輪カバー、円錐形部および泡止め部を含み、液体流出部品の一部分は円錐形の中空構造に形成され、調節輪カバーは液体流出部品上に取り付けられ、円錐形部の形状は液体流出部品の円錐形の中空構造に対応するとともに調節輪カバーにネジ結合され、泡止め部は液体流出部品内に位置し、泡止め部の一端は円錐形部に連結され、他端は液体流出部品の液体出口側に延伸し、流動する液体は円錐形部と液体流出部品との間の隙間、泡止め部と液体流出部品との間の隙間を通過する。
【００１３】
好ましくは、結合部と結合用凹部の底面との間には第三密閉部品が取り付けられ、第三密閉部品は結合部と結合用凹部との間の隙間を密閉させる。
【００１４】
従来の技術と比較してみると、気体圧縮部品の高圧気体が気体バルブにより柔軟性容器とケースとの間の空間に注入され、柔軟性容器とケースとの間の高圧気体は柔軟性容器を押すことにより、柔軟性容器内のビールは液体バルブにより液体流出部品側に流れ、かつ液体流出部品により外部に流出することができる。液体を送出する過程において、空気が柔軟性容器内に入らないので、柔軟性容器内の液体が汚染されることを防止し、柔軟性容器内の液体の賞味期限と品質を向上させることができる。
【図面の簡単な説明】
【００１５】
以下、この考案の実施例に係る図面によりこの考案の技術的事項をより詳細に説明する。下記図面はこの考案の一部分になることができる。この考案の下記実施例はこの考案の例示にしか過ぎないものである。すなわちこの考案の下記実施例はこの考案を説明するものであるが、この考案を限定するものでない。
【図１】この考案の実施例に係る携帯型ビールバーレルの構造を示す図である。
【図２】この考案の実施例に係る携帯型ビールバーレルを示す分解図である。
【図３】この考案の実施例に係るバルブシートの構造を示す図である。
【図４】この考案の実施例の気体バルブの構造を示す図である。
【図５】この考案の実施例の気体バルブを示す分解図である。
【図６】この考案の実施例の気体バルブの構造を示す第一図である。
【図７】この考案の実施例の気体バルブの構造を示す第二図である。
【図８】この考案の実施例に係る液体バルブの構造を示す図である。
【図９】この考案の実施例に係る液体バルブを示す分解図である。
【図１０】この考案の実施例に係る液体流出弁体の構造を示す図である。
【図１１】この考案の実施例に係る液体流出スプールの構造を示す図である。
【図１２】この考案の実施例に係る液体流出装置の構造を示す第一図である。
【図１３】この考案の実施例に係る液体流出装置の構造を示す第二図である。
【図１４】この考案の実施例に係る液体流出装置の構造を示す第三図である。
【図１５】この考案の実施例に係る液体流出装置の構造を示す第四図である。
【図１６】この考案の実施例に係る気体圧縮部品の構造を示す図である。
【図１７】この考案の実施例に係る液体流出装置を示す断面図である。
【図１８】この考案の実施例に係る液体流出部品と流量および泡調節部品の構造を示す図である。
【図１９】この考案の実施例に係る流量および泡調節部品の構造を示す図である。
【考案を実施するための形態】
【００１６】
以下、この考案の実施例に係る図面によりこの考案の複数の実施例を説明する。説明を詳細にするため、以下、この考案の実施例の事項と実施方法を一緒に説明するが、下記実施例の事項と実施方法によりこの考案を限定する意図はない。この考案の一部分の実施例において下記実施例の事項と実施方法を含まなくてもよい。説明を簡単にするため、周知の構造と事項を簡単に説明することができる。
【００１７】
この考案の実施例において用いる「第一」、「第二」という用語は、この考案の事項を説明するものであり、事項の順位または順番を意味するか或いはこの考案を限定するものでない。「第一」、「第二」等は各特徴の相違点を示すものであり、特徴の数量等を示すものでない。「第一」、「第二」という用語がついている特徴は少なくとも１つの当該特徴が含まれていることを意味する。各実施例の技術的事項を一体に結合させてもこの技術分野の技術者がそれを実施することができる場合、その結合がこの考案に含まれることは勿論である。逆に、各実施例の技術的事項を互いに結合させたが、その結合を実施することができないか或いはその結合が存在するわけがない場合、その結合はこの考案が保護しようとするものでない。
【００１８】
この考案の事項、特徴および考案の効果をより詳細に説明するため、以下、好適な実施例と図面によりこの考案を詳細に説明する。
【００１９】
図１を参照すると、図１はこの考案の実施例に係る携帯型ビールバーレルの構造を示す図である。図面の矢印が指している方向は上である。この実施例に係る携帯型ビールバーレル（ｂｅｅｒ  ｂａｒｒｅｌ）は貯蔵装置１と液体流出装置２を含み、貯蔵装置１は液体を貯蔵することに用いられ、液体流出装置２は貯蔵装置１内の液体を流出させる。本実施例の液体は生ビールであることができる。
【００２０】
図２〜図３を参照すると、図２はこの考案の実施例に係る携帯型ビールバーレルを示す分解図であり、図３はこの考案の実施例に係るバルブシートの構造を示す図である。貯蔵装置１は、バルブシート（ｖａｌｖｅ  ｓｅａｔ）１１、気体バルブ（ａｉｒ  ｖａｌｖｅ）１２、液体バルブ（ｌｉｑｕｉｄ  ｖａｌｖｅ）１３、柔軟性容器１４およびケース１５を含む。バルブシート１１は、外部から内部への方向において間隔を空けて形成されている結合用凹部１１１、気体バルブ装着凹部１１２および液体バルブ装着凹部１１３を含み、結合用凹部１１１、気体バルブ装着凹部１１２および液体バルブ装着凹部１１３の開口の方向は同一の方向に向いている。気体バルブ１２は気体バルブ装着凹部１１２内に取り付けられ、液体バルブ１３は液体バルブ装着凹部１１３内に取り付けられる。柔軟性容器１４は液体を貯蔵することに用いられる。本実施例の柔軟性容器１４には生ビールが貯蔵されている。柔軟性容器１４は液体バルブ１３に密閉状態に連結され、かつ柔軟性容器１４と液体バルブ１３は連通状態に連結されるので、柔軟性容器１４内の液体は液体バルブ１３側に流動することができる。すなわち液体バルブ１３を開けるとき、柔軟性容器１４内の液体は液体バルブ１３から流出することができる。柔軟性容器１４はケース１５内に取り付けられ、ケース１５には結合部１５１が形成されている。ケース１５をバルブシート１１に結合させるとき、ケース１５の結合部１５１はバルブシート１１の結合用凹部１１１に挿入されるとともにその結合用凹部１１１に結合される。ケース１５、バルブシート１１および柔軟性容器１４によりスクイズスペース（Ｓｑｕｅｅｚｅ  ｓｐａｃｅ）が形成され、そのスクイズスペースと気体バルブ１２は連通状態にされる。好ましくは、結合用凹部１１１の内周面には内部ネジが形成され、結合部１５１の外周面には外部ネジが形成され、バルブシート１１はネジ結合によりケース１５の結合部１５１に結合される。ネジ結合方法によりケース１５とバルブシート１１を容易に結合させるか或いは解体することができる。好ましくは、ケース１５の結合部１５１とバルブシート１１の結合用凹部１１１の底面との間には第三密閉部品１６が取り付けられる。第三密閉部品１６の一面は結合用凹部１１１の底面に当接し、第三密閉部品１６の他の一面は結合部１５１に当接する。第三密閉部品１６が取り付けられることにより前記スクイズスペースの密閉性を確保することができる。
【００２１】
図１を再び参照すると、液体流出装置２は気体圧縮部品２１と液体流出部品２２を含む。気体圧縮部品２１は気体を圧縮することに用いられる。気体バルブ１２を開けるとき、気体圧縮部品２１と気体バルブ１２は連通状態になる。すなわち気体バルブ１２を開けるとき、気体圧縮部品２１の圧縮気体は気体バルブ１２に流入し、その後気体バルブ１２によりケース１５、バルブシート１１および柔軟性容器１４により形成されるスクイズスペースに流入する。液体流出部品２２は中空の構造を有しており、液体流出部品２２の一端は液体バルブ１３に当接する。液体流出部品２２が外力により液体バルブ１３が開けられるように液体バルブ１３を押すとき、柔軟性容器１４内の液体は液体バルブ１３により液体流出部品２２に流入することができる。
【００２２】
図３〜図７を参照すると、図４はこの考案の実施例の気体バルブの構造を示す図であり、図５はこの考案の実施例の気体バルブを示す分解図であり、図６はこの考案の実施例の気体バルブの構造を示す第一図であり、図７はこの考案の実施例の気体バルブの構造を示す第二図である。気体バルブ装着凹部１１２の底面には気体流入孔１１２１が形成されている。気体バルブ１２は、気体流入弁体（ｖａｌｖｅ  ｂｏｄｙ）１２１、気体流入スプール（ｓｐｏｏｌ）１２２、第一弾性部品１２３および第一密閉部品１２４を含む。気体流入弁体１２１は環状の構造を有しており、気体流入弁体１２１には気体流入弁体１２１の内部から外部に向くスプール凹部１２１１が形成されており、気体流入弁体１２１の頂部にはスプール孔１２１２が形成されており、スプール孔１２１２とスプール凹部１２１１は連通状態にされている。スプール凹部１２１１内には気体流入弁体１２１の頂部から底部に向くスプール装着凹部１２１３が形成されている。気体流入スプール１２２はスプール本体１２２１と第一当接部１２２２を含み、スプール本体１２２１の外径は第一当接部１２２２の外径より小さい。スプール本体１２２１は第一当接部１２２２に挿入されるとともに固定され、スプール本体１２２１の両端は第一当接部１２２２の両端から突出している。スプール本体１２２１の一端には第一弾性部品１２３が取り付けられ、スプール本体１２２１の他端には第一密閉部品１２４が取り付けられる。第一密閉部品１２４が取り付けられるスプール本体１２２１の他端の外径は気体流入孔１１２１の外径に対応する。スプール本体１２２１と第一当接部１２２２はいずれもスプール凹部１２１１内に取り付けられる。その場合、第一弾性部品１２３の両端はスプール凹部１２１１と第一当接部１２２２に当接し、スプール本体１２２１の他端は第一密閉部品１２４とスプール孔１２１２から突出する。気体流入弁体１２１は気体バルブ装着凹部１１２内に取り付けられ、スプール本体１２２１の他端は気体流入孔１１２１から突出する。第一弾性部品１２３の弾力により第一密閉部品１２４は気体流入孔１１２１を密閉させる。具体的に、第一密閉部品１２４はスプール本体１２２１の他端に取り付けられ、第一密閉部品１２４は気体バルブ装着凹部１１２の底面に当接する。好ましくは、スプール凹部１２１１は気体流入弁体１２１の外側に凹型に形成される。好ましくは、スプール孔１２１２のサイズはスプール凹部１２１１のサイズに対応する。好ましくは、第一当接部１２２２の両端には第一装着凹部１２２２１と第二装着凹部１２２２２がそれぞれ形成されている。第一弾性部品１２３の一端は第一装着凹部１２２２１内に取り付けられ、第一密閉部品１２４は第二装着凹部１２２２２内に取り付けられる。気体流入スプール１２２が圧力を受けるとき、第一密閉部品１２４は気体バルブ装着凹部１１２の底面から離れ、気体圧縮部品２１の気体はスプール孔１２１２によりスプール凹部１２１１に注入され、かつ気体流入弁体１２１と気体バルブ装着凹部１１２との間の隙間によりスクイズスペースに注入されることができる。スクイズスペース内に気体を注入することによりスクイズスペース内の圧力差を増加させ、高圧気���を形成し、その高圧気体により柔軟性容器１４を押すことができる。本実施例において、第一弾性部品１２３はスプリングであり、第二密閉部品１２４は密閉用シートである。
【００２３】
図３を再び参照すると、液体バルブ装着凹部１１３の底面には液体流出孔１１３１が形成されている。図８〜図１１を参照すると、図８はこの考案の実施例に係る液体バルブの構造を示す図であり、図９はこの考案の実施例に係る液体バルブを示す分解図であり、図１０はこの考案の実施例に係る液体流出弁体の構造を示す図であり、図１１はこの考案の実施例に係る液体流出スプールの構造を示す図である。液体バルブ１３は、液体流出弁体１３１、液体流出スプール１３２、第二弾性部品１３３および第二密閉部品１３４を含む。液体流出弁体１３１は、弁体本体１３１１、隙間保持部１３１２および第二当接部１３１３を含み、弁体本体１３１１の中央には弁体貫通孔１３１１１が形成され、弁体貫通孔１３１１１の下端と柔軟性容器１４の内部空間は連通状態にされる。隙間保持部１３１２と第二当接部１３１３は弁体貫通孔１３１１１の内壁にそれぞれ形成され、隙間保持部１３１２は弁体貫通孔１３１１１の上端に近づいており、第二当接部１３１３は弁体貫通孔１３１１１の下端に近づいている。隙間保持部１３１２は複数個の棒状突起であり、各棒状突起は弁体貫通孔１３１１１の軸線方向に形成され、かつ複数個の棒状突起は弁体貫通孔１３１１１の内周面に間隔を空けて形成されている。第二当接部１３１３は複数個の当接用突出部であり、複数個の当接用突出部は弁体貫通孔１３１１１の内周面に間隔を空けて形成されている。液体流出スプール１３２は弁体貫通孔１３１１１内に取り付けられ、液体流出スプール１３２の軸線と弁体貫通孔１３１１１の軸線は重畳する。液体流出スプール１３２の外壁は隙間保持部１３１２の複数個の棒状突起に滑動可能に当接する。隙間保持部１３１２の複数個の棒状突起が形成されることにより液体流出スプール１３２と弁体貫通孔１３１１１との間には液体が流動する隙間が形成されることができる。液体流出スプール１３２内には第三装着凹部１３２１が形成され、第三装着凹部１３２１の内周面には液体流出スプール当接部１３２１１が形成されている。本実施例の液体流出スプール当接部１３２１１は第三装着凹部１３２１の内周面に形成されている複数個の当接用突出部である。柔軟性容器１４の反対側に位置している液体流出スプール１３２の一面はスプール表面１３２２であり、液体流出スプール当接部１３２１１はスプール表面１３２２に近づいている。本実施例の液体流出スプール１３２は蓋の形状に形成されている。第二弾性部品１３３は弁体本体１３１１の弁体貫通孔１３１１１内に取り付けられる。具体的に、第二弾性部品１３３の一端は第三装着凹部１３２１内に取り付けられるとともに液体流出スプール当接部１３２１１に当接し、第二弾性部品１３３の他端は弁体貫通孔１３１１１内に取り付けられるとともに第二当接部１３１３に当接する。液体流出弁体１３１は液体バルブ装着凹部１１３内に取り付けられる。本実施例の液体流出弁体１３１はネジ結合手段により液体バルブ装着凹部１１３内に結合される。液体流出スプール１３２の位置は液体流出孔１１３１の位置に対応し、第二密閉部品１３４は液体バルブ装着凹部１１３の底面と液体流出弁体１３１の上端との間に取り付けられる。第二弾性部品１３３の弾力により液体流出スプール１３２は第二密閉部品３４内に挿入され、第二密閉部品１３４と液体流出スプール１３２の協力により弁体貫通孔１３１１１が密閉されるとともにバルブ構造が形成される。本実施例において、第二密閉部品１３４の一面は弁体本体１３１１と液体流出スプール１３２に当接し、第二密閉部品１３４の他の一面は液体バルブ装着凹部１１３の底面に当接する。液体流出スプール１３２のスプール表面１３２２は液体流出部品２２に向いている。液体流出部品２２が圧力を受けるとき、液体流出部品２２は先にスプール表面１３２２に作用力を与える。液体流出部品２２が押すことにより液体流出スプール１３２は下へ移動し、第二密閉部品１３４は液体流出スプール１３２から離れ、弁体貫通孔１３１１１は液体流動隙間により液体流出部品２２と柔軟性容器１４の内部空間と連通状態になり、柔軟性容器１４の液体は弁体貫通孔１３１１１により液体流出部品２２に流入することができる。それにより柔軟性容器１４は液体が流出できる状態になり、液体流出弁体１３１は自動に復位することができる。液体が流出すると、液体流出部品２２の作用力がなくなるので、第二弾性部品１３３は液体流出弁体１３１が再び密閉状態になるように制御する。それにより液体が柔軟性容器１４内に逆流することを防止し、柔軟性容器内の液体の賞味期限と品質を向上させることができる。
【００２４】
図１２〜図１４を参照すると、図１２はこの考案の実施例に係る液体流出装置の構造を示す第一図であり、図１３はこの考案の実施例に係る液体流出装置の構造を示す第二図であり、図１４はこの考案の実施例に係る液体流出装置の構造を示す第三図である。液体流出装置２は、加圧部品２３、カバー２４および連通部品２５を更に含む。加圧部品２３は環状の構造を有している部品であり、加圧部品２３の頂部には連通用凹部２３１が形成され、加圧部品２３の裏側には連通用孔２３２が形成され、連通用孔２３２と連通用凹部２３１は連通状態にされる。加圧部品２３はバルブシート１１の頂部を加圧するように取り付けられ、加圧部品２３の圧力により気体流入スプール１２２は気体流入孔１１２１内に挿入され、スプール孔１２１２と加圧部品２３の内部孔２３３は重畳するので、連通用凹部２３１は内部孔２３３により気体バルブ１２と連通状態にされることができる。連通部品２５は中空の構造を有している部品であり、連通部品２５の一端には気体流入凹部２５１が形成され、気体流入凹部２５１と連通部品２５の内部は連通状態にされている。連通部品２５の一端は連通用凹部２３１の底面に当接し、連通部品２５の他端は気体圧縮部品２１と連通状態にされる。カバー２４は加圧部品２３に取り付けられ、連通部品２５の他端はカバー２４から突出する。液体流出部品２２の一端はカバー２４と加圧部品２３を貫通した後液体バルブ１３に当接する。加圧部品２３の圧力により気体流入スプール１２２は気体流入孔１１２１内に挿入され、第一密閉部品１２４は気体バルブ装着凹部１１２から離れ、気体バルブ１２は加圧部品２３の内部孔２３３により連通用凹部２３１と連通状態にされる。連通用凹部２３１と気体流入凹部２５１が連通状態にされることにより気体バルブ１２と連通部品２５は連通状態にされる。カバー２４は加圧部品２３に取り付けられることにより加圧部品２３の内部孔２３３を密閉させ、加圧部品２３の内部孔２３３により気体が漏出することを防止し、気体バルブ１２の気体流入効率を向上させることができる。
【００２５】
図１５を参照すると、図１５はこの考案の実施例に係る液体流出装置の構造を示す第四図である。液体流出装置２はスイッチケース２６とスイッチ部品２７を更に含む。スイッチケース２６の両端には第一装着位置２６１と第二装着位置２６２がそれぞれ形成され、カバー２４は第一装着位置２６１内に位置する。液体流出部品２２の一端は、第二装着位置２６２、第一装着位置２６１、カバー２４および加圧部品２３を通過した後液体流出スプール１３２に当接し、液体流出部品２２の他端は第一装着位置２６１から突出する。具体的に、液体流出部品２２は第一液体流出部２２１と第二液体流出部２２２を含み、第一液体流出部２２１の一端は、第二装着位置２６２、第一装着位置２６１、カバー２４および加圧部品２３を通過した後液体流出スプール１３２のスプール表面１３２２に当接し、第二密閉部品１３４は第一液体流出部２２１上に取り付けられる。第一液体流出部２２１の他端と第二液体流出部２２２の一端は連通状態にされ、第二液体流出部２２２の他端は第二装着位置２６２から突出している。本実施例の第一液体流出部２２１と第二液体流出部２２２はいずれも管状である。好ましくは、第二密閉部品１３４は液体流出管密閉リング１３４１を更に含む。液体流出管密閉リング１３４１は第二密閉部品１３４に結合されるとともに第一液体流出部２２１上に取り付けられることにより密閉性を向上させることができる。
【００２６】
スイッチ部品２７は、スイッチ本体２７１、第一コネクティング・ロッド（ｃｏｎｎｅｃｔｉｎｇ  ｒｏｄ）２７２および第二コネクティング・ロッド２７３を含み、第一コネクティング・ロッド２７２はスイッチ本体２７１の一端に固定連結され、スイッチ本体２７１の一端は第二装着位置２６２に回転可能に連結され、第一コネクティング・ロッド２７２と第二コネクティング・ロッド２７３は第二装着位置２６２内に取り付けられる。スイッチ本体２７１を回転させるとき、スイッチ本体２７１は第一コネクティング・ロッド２７２が回転するように駆動し、第一コネクティング・ロッド２７２が回転することにより第二コネクティング・ロッド２７３の一端が上がるように駆動する。その場合、第二コネクティング・ロッド２７３の他端は液体流出部品２２の第一液体流出部２２１を押すことにより液体バルブ１３を開ける。すなわち液体流出スプール１３２は第二密閉部品１３４から離れ、液体流出部品２２と弁体貫通孔１３１１１は連通状態にされるので、柔軟性容器１４内の液体は液体流出部品２２側へ流動することができる。好ましくは、第一コネクティング・ロッド２７２と第二コネクティング・ロッド２７３との間の夾角９０度である。
【００２７】
図１６を参照すると、図１６はこの考案の実施例に係る気体圧縮部品の構造を示す図である。気体圧縮部品２１は気体圧縮ケース２１１と移動部品２１２を含む。気体圧縮ケース２１１の一端は第二装着位置２６２に結合され、気体圧縮ケース２１１の一端には気体圧縮流入孔２１１１と気体圧縮流出孔２１１２が形成されている。気体圧縮流入孔２１１１と気体圧縮ケース２１１の外部は連通状態にされ、気体圧縮流出孔２１１２と連通部品２５の他端は連通状態にされる。移動部品２１２は押し進め棒２１２１と密閉部品２１２２を含み、押し進め棒２１２１の一端は気体圧縮ケース２１１の他端に挿入されるとともに密閉部品２１２２に固定連結される。押し進め棒２１２１が押し進めることにより密閉部品２１２２は気体圧縮ケース２１１内に移動可能に挿入され、密閉部品２１２２は気体圧縮ケース２１１の内壁に当接する。密閉部品２１２２と気体圧縮ケース２１１の内壁との間の密閉性を確保するため、密閉部品２１２２の外周面に気体圧縮密閉部品２１２３を取り付けることができる。
【００２８】
図１を再び参照すると、ケース１５の頂部と底部には把持装置３と支持装置４がそれぞれ取り付けられ、結合部１５１は把持装置３から突出する。把持装置３は把持本体３１と把持部３２を含み、把持本体３１はケース１５の頂部に取り付けられ、把持部３２は把持本体３１の頂部に固定連結される。把持部３２は環状の開口であり、使用者が把持部３２に手を挿入することにより携帯型ビールバーレルを携帯するか或いは移動させることができる。支持装置４の底面は平面であるか或いは複数個の同心円環で構成される平面であることにより支持装置４を地面に安定に置くことができる。
【００２９】
携帯型ビールバーレルを使用するとき、液体流出装置２をバルブシート１１の頂部に取り付ける。その場合、加圧部品２３の圧力により気体流入スプール１２２は気体バルブ装着凹部１１２内に挿入され、第一密閉部品１２４は気体バルブ装着凹部１１２から離れる。スイッチ本体２７１を回転させるとき、スイッチ本体２７１は第一コネクティング・ロッド２７２と第二コネクティング・ロッド２７３が回転するように駆動し、第二コネクティング・ロッド２７３は液体流出部品２２を下へ押し、液体流出スプール１３２は第二密閉部品１３４から離れ、液体流出部品２２と弁体貫通孔１３１１１は連通状態にされる。押し進め棒２１２１を上に引き上げるとき、押し進め棒２１２１は密閉部品２１２２が上に移動するように駆動するので、空気は気体圧縮流入孔２１１１により気体圧縮ケース２１１内に送入されることができる。押し進め棒２１２１を下に押すとき、押し進め棒２１２１は気体圧縮ケース２１１内の気体を気体圧縮流出孔２１１２、連通部品２５、スプール孔１２１２、スプール凹部１２１１および気体流入弁体１２１と気体バルブ装着凹部１１２との間の隙間によりスクイズスペースに注入する。その場合、スクイズスペースが柔軟性容器１４を押すことにより、柔軟性容器１４内の液体は弁体貫通孔１３１１１と液体流出部品２２により外部に流出することができる。
【００３０】
図１７〜図１９を参照すると、図１７はこの考案の実施例に係る液体流出装置を示す断面図であり、図１８はこの考案の実施例に係る液体流出部品と流量および泡調節部品の構造を示す図であり、図１９はこの考案の実施例に係る流量および泡調節部品の構造を示す図である。好ましくは、液体流出装置２は流量および泡調節部品２８を更に含む。流量および泡調節部品２８は、調節輪カバー２８１、円錐形部２８２および泡止め部２８３を含む。液体流出部品２２の一部分は円錐形の中空構造に形成され、調節輪カバー２８１は液体流出部品２２上に取り付けられ、円錐形部２８２の形状は液体流出部品２２の円錐形の中空構造に対応するとともに調節輪カバー２８１にネジ結合される。泡止め部２８３は液体流出部品２２内に位置し、泡止め部２８３の一端は円錐形部２８２に連結され、他端は液体流出部品２２の液体出口側に延伸する。流動する液体は円錐形部２８２と液体流出部品２２との間の隙間、泡止め部２８３と液体流出部品２２との間の隙間を通過する。
【００３１】
具体的に、液体流出部品２２の第二液体流出部２２２は、中空円錐形構造２２２１、液体流出管２２２２および連通管２２２３を具備する。中空円錐形構造２２２１は液体流出管２２２２と連通管２２２３との間に位置し、中空円錐形構造２２２１の小外径端は連通管２２２３の一端に連結され、連通管２２２３の他端は第一液体流出部２２１に連通状態にされる。液体流出管２２２２の一端は中空円錐形構造２２２１の大外径端内に位置し、液体流出管２２２２の他端は曲がっておりかつ開口が形成されているので、液体例えば生ビールを容易に注ぐことができる。流量および泡調節部品２８は支持ベース２８０を更に含み、支持ベース２８０は液体流出管２２２２上に取り付けられかつ中空円錐形構造２２２１に近づいている。調節輪カバー２８１は調節輪２８１１と調節部２８１２を含み、調節輪２８１１は調節部２８１２上に取り付けられかつ調節部２８１２の一端に近づいており、調節部２８１２は支持ベース２８０上に移動可能に取り付けられる。中空円錐形構造２２２１に近づいている調節部２８１２の一端には位置決め突起２８１２１が形成され、中空円錐形構造２２２１の大外径端には位置決め凹部２２２１１が形成されている。位置決め凹部２２２１１は中空円錐形構造２２２１の円周方向に形成され、位置決め突起２８１２１は位置決め凹部２２２１１内に移動可能に結合される。位置決め突起２８１２１が位置決め凹部２２２１１に結合されることにより調節輪２８１１の回転角度を決めることができる。円錐形部２８２は、ネジ結合管２８２１、円錐形管２８２２および直線型管２８２３を含む。円錐形管２８２２はネジ結合管２８２１と直線型管２８２３との間に連結され、円錐形管２８２２の大外径端はネジ結合管２８２１に連結され、円錐形管２８２２の小外径端は直線型管２８２３に連結される。円錐形管２８２２とネジ結合管２８２１との間には連通用開口２８２４が形成されている。連通管２２２３は直線型管２８２３上に取り付けられ、連通管２２２３と直線型管２８２３との間には第一隙間が形成される。中空円錐形構造２２２１は円錐形管２８２２上に取り付けられ、中空円錐形構造２２２１と円錐形管２８２２との間には第二隙間が形成される。調節部２８１２はネジ結合管２８２１にネジ結合され、調節輪２８１１を回転させるとき、調節部２８１２にネジ結合されるネジ結合管２８２１が直線方向に移動しかつ中空円錐形構造２２２１と円錐形管２８２２との間において移動するように駆動する。第二隙間の隙間のサイズは変化することができるので、第二隙間の隙間のサイズを変化させることにより流量を調節することができる。泡止め部２８３の一端はネジ結合管２８２１内に位置し、他端は液体流出管２２２２内まで延伸する。泡止め部２８３と液体流出管２２２２との間には第三隙間が形成され、第二隙間と第三隙間は連通用開口２８２４により連通状態にされることができる。
【００３２】
第一液体流出部２２１から注入される生ビールは、第一隙間、第二隙間および第三隙間を通過する。生ビールが第一隙間、第二隙間および第三隙間を通過するとき、隙間のサイズが小さいことにより生ビールの泡が圧縮されることにより泡を除去することができる。また、隙間のサイズが小さいことにより隙間を通過する生ビールの流速と圧力が変化するので、生ビールの泡を低減することができる。本実施例において、第一隙間と第三隙間のサイズは変化しないので、泡を除去する所定の効果を獲得することができる。第二隙間のサイズは変化することができるので、いろいろなビールの種類例えば二酸化炭素が含まれているビールに対して泡を動的に除去することができる。流量および泡調節部品２８が設けられることにより生ビールの流量と泡量を調節することができる。
【００３３】
以上のとおり、気体圧縮部品の高圧気体が気体バルブによりスクイズスペース内に注入されるとき、スクイズスペースが柔軟性容器を押すことにより、柔軟性容器内のビールは液体バルブにより液体流出部品側に流れ、かつ液体流出部品により外部に流出することができる。液体を送出する過程において、空気が柔軟性容器内に入らないので、柔軟性容器内の液体が汚染されることを防止し、柔軟性容器内の液体の賞味期限と品質を向上させることができる。また、この考案の携帯型ビールバーレルは、小型であり、携帯性がよく、電気を使用せず、コストが多くかからない利点を有している。
【００３４】
以上、この考案の好適な実施例を詳述してきたが、前記実施例はこの考案の例示にしか過ぎないものであるため、この考案は前記実施例の構成にのみ限定されるものでない。この技術分野の技術者はこの考案の要旨を逸脱しない範囲内において設計の変更、改良、代替等をすることができ、それらがあってもこの考案に含まれることは勿論である。
【符号の説明】
【００３５】
１  貯蔵装置、
１１  バルブシート、
１１１  結合用凹部、
１１２  気体バルブ装着凹部、
１１２１  気体流入孔、
１１３  液体バルブ装着凹部、
１１３１  液体流出孔、
１２  気体バルブ、
１２１  気体流入弁体、
１２１１  スプール凹部、
１２１２  スプール孔、
１２１３  スプール装着凹部、
１２２  気体流入スプール、
１２２１  スプール本体、
１２２２  第一当接部、
１２２２１  第一装着凹部、
１２２２２  第二装着凹部、
１２３  第一弾性部品、
１２４  第一密閉部品、
１３  液体バルブ、
１３１  液体流出弁体、
１３１１  弁体本体、
１３１１１  弁体貫通孔、
１３１２  隙間保持部、
１３１３  第二当接部、
１３２  液体流出スプール、
１３２１  第三装着凹部、
１３３  第二弾性部品、
１３４  第二密閉部品、
１４  柔軟性容器、
１５  ケース、
１５１  結合部、
１６  第三密閉部品、
２  液体流出装置、
２１  気体圧縮部品、
２１１  気体圧縮ケース、
２１１１  気体圧縮流入孔、
２１１２  気体圧縮流出孔、
２１２  移動部品、
２１２１  押し進め棒、
２１２２  密閉部品、
２１２３  気体圧縮密閉部品、
２２  液体流出部品、
２２１  第一液体流出部、
２２２  第二液体流出部、
２２２１  中空円錐形構造、
２２２１１  位置決め凹部、
２２２２  液体流出管、
２２２３  連通管、
２３  加圧部品、
２３１  連通用凹部、
２３２  連通用孔、
２３３  、内部孔、
２４  カバー、
２５  連通部品、
２５１  気体流入凹部、
２６  スイッチケース、
２６１  第一装着位置、
２６２  第二装着位置、
２７  スイッチ部品、
２７１  スイッチ本体、
２７２  第一コネクティング・ロッド、
２７３  第二コネクティング・ロッド、
２８  流量および泡調節部品、
２８０  支持ベース、
２８１  調節輪カバー、
２８１１  調節輪、
２８１２  調節部、
２８１２１  位置決め突起、
２８２  円錐形部、
２８２１  ネジ結合管、
２８２２  円錐形管、
２８２３  直線型管、
２８２４  連通用開口、
２８３  泡止め部、
３  把持装置、
３１把持本体、
３２  把持部、
４  支持装置
【図１】
0003234610.tif 000003
【図２】
0003234610.tif 000004
【図３】
0003234610.tif 000005
【図４】
0003234610.tif 000006
【図５】
0003234610.tif 000007
【図６】
0003234610.tif 000008
【図７】
0003234610.tif 000009
【図８】
0003234610.tif 000010
【図９】
0003234610.tif 000011
【図１０】
0003234610.tif 000012
【図１１】
0003234610.tif 000013
【図１２】
0003234610.tif 000014
【図１３】
0003234610.tif 000015
【図１４】
0003234610.tif 000016
【図１５】
0003234610.tif 000017
【図１６】
0003234610.tif 000018
【図１７】
0003234610.tif 000019
【図１８】
0003234610.tif 000020
【図１９】
0003234610.tif 000021